(57)【要約】      （修正有）【課題】歩く度に、靴の中でかかとからつま先に向かって新鮮な空気を押し出し、足蒸れを起こさせない構造を有した靴の中敷「インソール」を提供する。【解決手段】インソールの踵付近に空洞があり、貫通孔とつながっている。空洞の上部に、小さな穴が開いた上ブタが取り付けられ、穴の下に、一箇所が固定されたリボン（弁）が垂れている。歩行の為に、足を踏み出した時、踵がインソールの穴を踵が塞ぎ、体重で踵下の空洞を圧縮し、内部の空気を貫通孔の前方に押し出す。空洞が圧縮された時は、リボンは上ブタに張り付き、空気漏れを防ぐ。体重移動がさらに進んで靴のつま先が接地している状況になると、踵が上がって、踵下の空洞の体積は、弾力性で元の体積に戻り、弁が開いて自動的に新しい空気を貫通孔と別な方向から吸い込む。さらに、踵付近の新しい空気を、インソール内部を通して、靴の奥まったつま先へ強制的に送り込み、つま先に滞留していた、古い湿った空気は、足の甲上部を伝って足首方向に押し出される。【選択図】図２
0003170667.tif 000002
【実用新案登録請求の範囲】
【請求項１】
靴の中敷として使用する『インソール』の後部（かかと）から前部（つま先）にかけて、構造的、または、構造物によって、貫通した空洞を確保したものである。
【請求項２】
『インソール』のかかと部分は、弾力性のある素材で作られ、中心に空間を有し、弾力性のある空間と前述の［請求項１］が接続された形態である。
【請求項３】
空洞の内部を流れる空気が、『インソール』後方から前方に有効に流れ、逆流しない為の、弁機能を有する。
【考案の詳細な説明】
【技術分野】
【０００１】本考案は、ポンプ機能で、足蒸れを極力低減させた靴の中敷、『インソール』である。
【背景技術】
【０００２】匂いを軽減する、靴下であったり、匂いが付き難い構造、素材の靴の中敷は、考案され、製品化されているが、足蒸れを無くする事は疎かになっており、快適さを主眼に製品化されているものは、匂い対策が疎かになっている。
職業的に防水構造の靴を長い時間、履き続ける事で、「水虫」になることもある。
【考案の開示】
【考案が解決しようとする課題】
【０００３】『インソール』の快適さを損なわないで、足蒸れを極力低減することで、長い時間使用しても、足の嫌な匂い、「水虫」に成らない事を解決しようと考えた。
【課題を解決するための手段】
【０００４】１．『インソール』に空洞のチューブ（シリコン、ポリウレタンなどの弾力性のある材料）、または、『インソール』成型時に空洞のチューブと同じ効果をもつ構造を有する。
２．また、空洞の中に空気の逆流防止のための弁を取り付けている。
『インソール』の後部（かかとと接する場所）に空間が確保されている。
空間と空洞のチューブは接続されており、チューブの前方（つま先方向）は、つま先まで、吹き抜け構造と成っている。
使用者が歩く度に、かかと方向（足首に近い＝新しい空気）からつま先方向（靴の内部で奥まった場所＝滞留した古い空気）に、『インソール』の空洞を絶えず新しい空気が押し出される。
空洞には弁（弁の機能を持った構造）が空気の逆流を防止することで、対流の効果、機能を有効にしているが、弁の位置は、空洞の中に限らず、踵の部分への、「空気取り込み口」でも支障ない。
【考案の効果】
【０００５】『インソール』に吹き抜け構造と空間を持たせる事で、長い時間靴を履き続ける苦痛と、長い時間靴の内部で同じ空気が滞留と対流を繰り返して、嫌な匂いを発生する事を、極力低減する。
【考案の実施するための最良の形態】
【０００６】１．『インソール』の空洞を形成するのは、シリコン、ポリウレタンなどの弾力性のあるチューブ、または、成型的につくられる。前方は吹き抜けである。
２．足のかかとが接する所に空間があり、上記の空洞に接している。
空間へは上記の空洞とは別な方向から、新鮮な空気を取り入れる。
３．本考案の中敷を使用した場合、靴のかかと付近から接地し、其の時、『インソール』のかかと付近の穴を踵が塞ぎ、体重で踵下の空間を圧縮し、チューブの内部の空気をチューブ前方に押し出す。
４．体重移動がさらに進んで靴のつま先が接地している状況になると、踵下の空間の体積は、の弾性によって元の形に戻り、其のとき、かかとが上がっている事で、新しい空気がチューブとは別の穴から取り入れられる。
５．かかと付近の比較的新しい空気を、中敷き内部を通して、靴の奥まったつま先へ強制的に送り込み、つま先に滞留していた、古い湿った空気は、足の甲上部を伝って足首方向に押し出される。
６．空気の移動を考慮していない従来の靴の中敷きに対して、新しい空気の循環を強制的に行うようにした。
７．『インソール』の後部上面にある、空気取り入れ穴に芳香液を少量、垂らす事で、従来、足は臭いものが常識化していたことが、いい匂いのする足の為の、小道具として活用できる。
８．従来品の『インソール』が薄い形状のものは、靴と『インソール』の間に入れて使う、応用品として作る事が出来る。
９．『インソール』後方の形状を変えて、空気取り入れ口の形を長く伸ばすことで長靴（ゴム長靴、ブーツ）に対応した製品も可能となる。
【添付資料１】
0003170667.tif 000003
【手続補正書】
【提出日】平成23年3月20日(2011.3.20)
【手続補正１】
【補正対象書類名】実用新案登録請求の範囲
【補正対象項目名】全文
【補正方法】変更
【補正の内容】
【実用新案登録請求の範囲】
【請求項１】
靴の中敷として使用する『インソール』に、後部（かかと）に空洞を設け空洞から（つま先）にかけて、空気が流れるための貫通孔を付加した。
【請求項２】
［請求項１］に記載の『インソール』において、逆流防止弁を設け、効果のアップを計った。
【請求項３】
［請求項１］、［請求項２］に記載の『インソール』に付加した貫通孔、及び空洞は、弾力性を持った材質で成型して、［請求項１］［請求項２］の動作が、繰り返しに耐え、継続できるようにした。
【手続補正２】
【補正対象書類名】明細書
【補正対象項目名】全文
【補正方法】変更
【補正の内容】
【考案の詳細な説明】
【技術分野】
【０００１】本考案は、ポンプ機能で、足蒸れを極力低減させた靴の中敷、『インソール』である。
【背景技術】
【０００２】匂いを軽減する、靴下であったり、匂いが付き難い構造、素材の靴の中敷は、考案され、製品化されているが、足蒸れを無くする事は疎かになっており、快適さを主眼に製品化されているものは、匂い対策が疎かになっている。
【考案の開示】
【考案が解決しようとする課題】
【０００３】『インソール』の快適さを損なわないで、足蒸れを極力低減することで、長い時間使用しても、足の嫌な匂い、「水虫」に成らない事を解決しようと考えた。
【課題を解決するための手段】
【０００４】１．『インソール』に、空気が流れる貫通孔と、空気を流そうとする空洞を連接して付加した。
２．『インソール』内部に付加した貫通孔、空洞を流れる空気が新しい空気が一方向となるように、空洞の上部に逆流防止の弁を取り付けた。
３．上記の動作が繰り返し行えるように、弾力性にとんだ素材を使用した。
【考案の効果】
【０００５】『インソール』に吹き抜け構造（貫通孔）と空間（空洞）を持たせる事で、長い時間靴を履き続ける苦痛と、長い時間靴の内部で同じ空気が滞留と対流を繰り返して、嫌な匂いを発生する事を、極力低減する。
【考案の実施するための最良の形態】
【０００６】１．『インソール』の踵付近に空洞があり、貫通孔とつながっている。
空洞の上部に、小さな穴が開いた上ブタが取り付けられ、穴の下に、一箇所が固定されたリボン（弁）が垂れている。
２．歩行の為に、足を踏み出した時、踵が『インソール』の穴を踵が塞ぎ、体重で踵下の空洞を圧縮し、内部の空気を貫通孔の前方に押し出す。
空洞が圧縮された時は、リボンは上ブタに張り付き、空気漏れを防ぐ。
３．体重移動がさらに進んで靴のつま先が接地している状況になると、踵がが上がって、踵下の空洞の体積は、弾力性で元の体積に戻り、弁が開いて自動的に新しい空気を貫通孔と別な方向から吸い込む。
４．踵付近の新しい空気を、『インソール』内部を通して、靴の奥まったつま先へ強制的に送り込み、つま先に滞留していた、古い湿った空気は、足の甲上部を伝って足首方向に押し出される。
５．『インソール』の後部上面にある、空気取り入れ穴に芳香液を少量、垂らす事で、従来、足は臭いものが常識化していたことが、いい匂いのする足の為の、小道具として活用できる。
６．従来品の『インソール』が薄い形状のものは、靴と『インソール』の間に入れて使う、応用品として作る事が出来る。
７．『インソール』後方の形状を変えて、空気取り入れ口の形を長く伸ばすことで長靴（ゴム長靴、ブーツ）に対応した製品も可能となる。
【図面の簡単な説明】
【０００７】
【図１】平面図、断面図、正面図
【図２】動作説明図
【図３】空洞付近の説明図
【手続補正３】
【補正対象書類名】図面
【補正対象項目名】全図
【補正方法】変更
【補正の内容】
【図１】
0003170667.tif 000004
【図２】
0003170667.tif 000005
【図３】
0003170667.tif 000006
【手続補正書】
【提出日】平成23年7月4日(2011.7.4)
【手続補正１】
【補正対象書類名】実用新案登録請求の範囲
【補正対象項目名】全文
【補正方法】変更
【補正の内容】
【実用新案登録請求の範囲】
【請求項１】
靴の中敷として使用するインソールに、後部かかとに空洞を設け空洞からつま先にかけて、空気が流れるための貫通孔を付加したことを特徴とするインソール。
【請求項２】
請求項１に記載のインソールにおいて、逆流防止弁を設け、効果のアップを図ったことを特徴とする請求項１記載のインソール。
【請求項３】
請求項１、請求項２に記載のインソールに付加した貫通孔、及び空洞は、弾力性を持った材質で成型したことを特徴とする請求項１または２記載のインソール。
【手続補正２】
【補正対象書類名】明細書
【補正対象項目名】全文
【補正方法】変更
【補正の内容】
【考案の詳細な説明】
【技術分野】
【０００１】本考案は、ポンプ機能で、足蒸れを極力低減させた靴の中敷、インソールである。
【背景技術】
【０００２】匂いを軽減する、靴下であったり、匂いが付き難い構造、素材の靴の中敷は、考案され、製品化されているが、足蒸れを無くする事は疎かになっており、快適さを主眼に製品化されているものは、匂い対策が疎かになっている。
【考案の開示】
【考案が解決しようとする課題】
【０００３】インソールの快適さを損なわないで、足蒸れを極力低減することで、長い時間使用しても、足の嫌な匂い、「水虫」に成らない事を解決しようと考えた。
【課題を解決するための手段】
【０００４】１．インソールに、空気が流れる貫通孔と、空気を流そうとする空洞を連接して付加した。
２．インソール内部に付加した貫通孔、空洞を流れる空気が新しい空気が一方向となるように、空洞の上部に逆流防止の弁を取り付けた。
３．上記の動作が繰り返し行えるように、弾力性にとんだ素材を使用した。
【考案の効果】
【０００５】インソールに吹き抜け構造（貫通孔）と空間（空洞）を持たせる事で、長い時間靴を履き続ける苦痛と、長い時間靴の内部で同じ空気が滞留と対流を繰り返して、嫌な匂いを発生する事を、極力低減する。
【考案の実施するための最良の形態】
【０００６】１．インソールの踵付近に空洞があり、貫通孔とつながっている。
空洞の上部に、小さな穴が開いた上ブタが取り付けられ、穴の下に、一箇所が固定されたリボン（弁）が垂れている。
３．歩行の為に、足を踏み出した時、踵がインソールの穴を踵が塞ぎ、体重で踵下の空洞を圧縮し、内部の空気を貫通孔の前方に押し出す。
空洞が圧縮された時は、リボンは上ブタに張り付き、空気漏れを防ぐ。
３．体重移動がさらに進んで靴のつま先が接地している状況になると、踵がが上がって、踵下の空洞の体積は、弾力性で元の体積に戻り、弁が開いて自動的に新しい空気を貫通孔と別な方向から吸い込む。
４．踵付近の新しい空気を、インソール内部を通して、靴の奥まったつま先へ強制的に送り込み、つま先に滞留していた、古い湿った空気は、足の甲上部を伝って足首方向に押し出される。
５．インソールの後部上面にある、空気取り入れ穴に芳香液を少量、垂らす事で、従来、足は臭いものが常識化していたことが、いい匂いのする足の為の、小道具として活用できる。
６．従来品のインソールが薄い形状のものは、靴とインソールの間に入れて使う、応用品として作る事が出来る。
７．インソール後方の形状を変えて、空気取り入れ口の形を長く伸ばすことで長靴（ゴム長靴、ブーツ）に対応した製品も可能となる。
【図面の簡単な説明】
【０００７】
【図１】平面図、断面図、側面図
【図２】動作説明図
【図３】空洞付近の説明図
【手続補正３】
【補正対象書類名】図面
【補正対象項目名】全図
【補正方法】変更
【補正の内容】
【図１】
0003170667.tif 000007
【図２】
0003170667.tif 000008
【図３】
0003170667.tif 000009